(57)【要約】【課題】  本発明は、瓦棒屋根に施工する雪止め具を外側部のみならず内側部からの抑止固定力を発揮させることにより確実堅固に取付け施工ができる構造にする。【解決手段】  羽根板１の上辺部２及び左右両側辺部３，３を内側方向に曲折した鍔縁部を形成するとともに下辺部４には外側方に曲折した鍔縁部を形成し、この羽根板の内側中央部に固着する取付片７を介して左右両側部８，８が外側方にやや拡開しかつ下端部９，９を内側方に曲折した外取付材６を設け、この外取付材の内部に設置する内取付材１０の左右両側部は前側方向に延長して前記羽根板の外側部に形成した下辺部の鍔縁部に係止する跳上り部１２，１２を左右両側部に形成し、前記内取付材の左右両下端部１４，１４及び前記外取付材の左右両側部の両下端部によって瓦棒体部分ａを挟合し、前記内外両取付材の左右両側部間に螺子１６を架設緊締して固定する。【選択図】    図５
2005264626.tif 000002
【特許請求の範囲】
【請求項１】
羽根板の上辺部及び左右両側辺部を内側方向に曲折した鍔縁部を形成するとともに下辺部には外側方に曲折した鍔縁部を形成し、この羽根板の内側中央部に固着する取付片を介して左右両側部が外側方にやや拡開しかつ下端部を内側方に曲折した外取付材を設け、この外取付材の内部に設置する内取付材の左右両側部は前側方向に延長して前記羽根板の外側部に形成した下辺部の鍔縁部に係止する跳上り部を左右両側部に形成し、前記内取付材の左右両下端部及び前記外取付材の左右両側部の下端部によって瓦棒体部分を挟合し、前記内外両取付材の左右両側部間に螺子を架設緊締して固定するように成ることを特徴とする瓦棒屋根における雪止め具。
【請求項２】
内取付材の左右両側部と底面部との間に複数の切込部を設けて成る請求項１に記載した瓦棒屋根における雪止め具。
【発明の詳細な説明】
【技術分野】
【０００１】
本発明は、瓦棒屋根において使用する雪止め具に関するものである。
【背景技術】
【０００２】
従来、瓦棒屋根において使用される雪止め具には、例えば実公昭４３−３１９７６号、実開昭４９−１１３４２号、実公昭５１−２９０３号、意匠登録第３２４６９３号のごときものが知られているが、いずれも瓦棒屋根の外側部への取付けは良好であっても、これを内側部において確実に抑止固定するだけの強力な構造のものではなかったため、積雪による滑圧力によって取付け部分が弛緩したり離脱したりして雪止め作用を確実に果たすことができなかった。
【０００３】
【特許文献１】実公昭４３−３１９７６号公報
【特許文献２】実開昭４９−１１３４２公報
【特許文献３】実公昭５１−２９０３号公報
【特許文献４】意匠登録第３２４６９３号公報
【発明の開示】
【発明が解決しようとする課題】
【０００４】
そこで、本発明は長年の研究と改良を重ねて、外側からのみならず内側からも確実堅固に抑止固定ができる構造の瓦棒用の雪止め具を提供することを目的とするものである。
【課題を解決するための手段】
【０００５】
本発明は、羽根板の上辺部及び左右両側辺部を内側方向に曲折した鍔縁部を形成するとともに下辺部には外側方に曲折した鍔縁部を形成し、この羽根板の内側中央部に固着した取付片を介して左右両側部が外側方にやや拡開しかつ下端部を内側方に曲折した外取付材を設け、この外取付材の内部に設置する内取付材の左右両側部は前側方向に延長して前記羽根板の外側部に形成した下辺部の鍔縁部に係止する跳上り部を左右両側部に形成し、前記内取付材の左右両下端部及び前記外取付材の左右両側部の下端部により瓦棒体部分を挟合し、前記内外両取付材の左右両側部間に螺子を架設緊締して固定するように成るものである。
【０００６】
また、前記内取付材の左右両側部と底面部との間に複数の切込部を設けて成るものである。
【発明の効果】
【０００７】
本発明は、瓦棒専用の雪止め具として困難性のあった固定力不足を解消することができるようになる。即ち、瓦棒体部に対する本具内側方からの面接触による摩擦力と外側方からの面接触による摩擦力とによって確実に抑止固定することができ、使用中に弛緩したり離脱したりする原因の発生を阻止することができる。
【発明を実施するための最良の形態】
【０００８】
いま瓦棒体に本発明具を設置したときは、瓦棒体の内側上端部に内取付材の左右両側部の下端部が当接することによって面状に抑止されることになり、また瓦棒体の外側面部に外取付材の左右両側部及びその下端部が当接することによって面状に抑止されることになり、このような内外両側面方向からの効果的な加圧力と摩擦力によって本具は確実に瓦棒体部に固定されるようになる。
【０００９】
また、内取付材の左右両側部と底面部との直角部には適当間隔をおいて複数の切欠部を設けていることにより、瓦棒体部のトタン板部分がこの切込部に食い込むように施工されるから、摩擦抵抗が大きくなり、固定が強力になる
【実施例】
【００１０】
１は中央上辺部が山凸形状に成る雪止め用の羽根板で、この羽根板の周縁部において上辺部２および左右両側辺部３，３には内側方向に直角に曲折した鍔縁部を形成し、この羽根板の下辺部４には外側方向に直角に曲折した鍔縁部を形成する。
【００１１】
５は前記羽根板１の中央上辺部に対応する中央下辺部４に形成する山凹形部で、この山凹形部の下辺部にも前記鍔縁部が一体に形成する。
【００１２】
６は前記羽根板１の内側部中央部に左右側に延びる取付片７を介して固着する略下向きコ形状に成る外取付材で、この外取付材の左右両側部８，８は外側方にやや拡開して成り、かつその各下端部９，９は内側方に曲折し、この曲折下端部が瓦棒体ａの外側部の下側一部に当接係止するように成る。
【００１３】
１０は前記外取付材６の内部に設置する略上向きコ形状に成る内取付材で、この内取付材の左右両側部には前記羽根板１の山凹形部５内に配置する凹溝部１１，１１を形成するとともに羽根板の外側部に形成した下辺部４の鍔縁部に係止する跳上り部１２，１２を左右両側部に形成する。
【００１４】
１３は前記内取付材９の左右跳上り部１２，１２の中間部に形成した水平部で、この水平部は両跳上り部が掛止まる下辺部４の鍔縁部の水平部４'の下側部に位置するように成る。
【００１５】
１４，１４は前記内取付材９の左右両下端部で、この両下端部は瓦棒体ａの内側部の上端一部に当接抑止するように成る。
【００１６】
１５，１５・・・・は前記内取付材の左右両側部と底面部との直角部に複数個設けた切込部で、この切込部には本具の瓦棒体部への緊締取付け時にトタン屋根板部の一部が食い込むようになる。これによって、両部分の摩擦抵抗が大きくなるから、締付け作用が堅固になる。
【００１７】
１６は前記外取付材６と前記内取付材１０との間に架設して連結する螺子で、この螺子の基端部には角形部を形成しこの角形部が外取付材６の一側部に設けた角孔部１７に嵌合し、この螺子の他端部は前記外取付材６の他側部に設けた円孔部１８に挿通し、雌螺子１６'にて緊締するように成る。
【図面の簡単な説明】
【００１８】
【図１】全体の正面図
【図２】全体の背面図
【図３】全体の平面図
【図４】全体の略中央部側断面図
【図５】全体の要部の背断面図
【図６】外取付材部の背面図
【図７】内取付材部の正面図
【図８】同上部の平面図
【図９】同上部の側断面図
【符号の説明】
【００１９】
１                羽根板
２                羽根板上辺部
３，３            左右両側辺部
４                下辺部
６                外取付材
７                取付片
８，８            左右両側部
９，９            左右下端部
１０              内取付材
１１，１１        凹溝部
１２，１２        跳上り部
１４，１４        左右下端部
１５，１５・・    切込部
【図１】
2005264626.tif 000003
【図２】
2005264626.tif 000004
【図３】
2005264626.tif 000005
【図４】
2005264626.tif 000006
【図５】
2005264626.tif 000007
【図６】
2005264626.tif 000008
【図７】
2005264626.tif 000009
【図８】
2005264626.tif 000010
【図９】
2005264626.tif 000011